(57)【特許請求の範囲】
【請求項１】
ユーザ装置（ＵＥ）によって実行される方法であって、
反復レベルを決定することと、
前記反復レベルに基づく第１のパラメータと、無線ネットワーク一時識別子（ＲＮＴＩ）に基づく第２のパラメータとを含む数式を用いて、スクランブリング系列生成部用の初期化値を決定することと、
スクランブリング系列を生成することと、
物理下りリンク共用チャネル（ＰＤＳＣＨ）に前記スクランブリング系列を適用することと、
を含み、前記反復レベルは、前記ＰＤＳＣＨに関連し、無線リソース制御（ＲＲＣ）構成により決定される、方法。
【請求項２】
前記反復レベルは、カバレッジ拡張を伴う前記ＵＥに対して決定される、請求項１に記載の方法。
【請求項３】
前記カバレッジ拡張を伴う前記ＵＥは、システムインフォメーションブロックタイプ１とは異なり、ＴＴＩバンドリングを使用することにより送信される、システムインフォメーションブロックタイプ１Ａ内に含まれるシステムインフォメーションを受信する、請求項２に記載の方法。
【請求項４】
ｅｖｏｌｖｅｄ  Ｎｏｄｅ  Ｂ（ｅＮＢ）によって実行される方法であって、
反復レベルを決定することと、
前記反復レベルに基づく第１のパラメータと、無線ネットワーク一時識別子（ＲＮＴＩ）に基づく第２のパラメータとを含む数式を用いて、スクランブリング系列生成部用の初期化値を決定することと、
スクランブリング系列を生成することと、
物理下りリンク共用チャネル（ＰＤＳＣＨ）に前記スクランブリング系列を適用することと、
を含み、前記反復レベルは、前記ＰＤＳＣＨに関連し、無線リソース制御（ＲＲＣ）構成により決定される、方法。
【請求項５】
前記反復レベルは、カバレッジ拡張を伴うユーザ装置（ＵＥ）に対して決定される、請求項４に記載の方法。
【請求項６】
前記カバレッジ拡張を伴う前記ＵＥは、システムインフォメーションブロックタイプ１とは異なり、ＴＴＩバンドリングを使用することにより送信される、システムインフォメーションブロックタイプ１Ａ内に含まれるシステムインフォメーションを受信する、請求項５に記載の方法。
【請求項７】
プロセッサと
前記プロセッサと電子通信を行うメモリと、
を備えるユーザ装置（ＵＥ）であって、
前記メモリに記憶された命令は、
反復レベルを決定し、
前記反復レベルに基づく第１のパラメータと、無線ネットワーク一時識別子（ＲＮＴＩ）に基づく第２のパラメータとを含む数式を用いて、スクランブリング系列生成部用の初期化値を決定し、
スクランブリング系列を生成し、
物理下りリンク共用チャネル（ＰＤＳＣＨ）に前記スクランブリング系列を適用するように実行可能であり、
前記反復レベルは、前記ＰＤＳＣＨに関連し、無線リソース制御（ＲＲＣ）構成により決定される、ユーザ装置。
【請求項８】
前記反復レベルは、カバレッジ拡張を伴う前記ＵＥに対して決定される、請求項７に記載のユーザ装置。
【請求項９】
前記カバレッジ拡張を伴う前記ＵＥは、システムインフォメーションブロックタイプ１とは異なり、ＴＴＩバンドリングを使用することにより送信される、システムインフォメーションブロックタイプ１Ａ内に含まれるシステムインフォメーションを受信する、請求項８に記載のユーザ装置。
【請求項１０】
プロセッサと、
前記プロセッサと電子通信を行うメモリと、
を備えるｅｖｏｌｖｅｄ  Ｎｏｄｅ  Ｂ（ｅＮＢ）であって、
前記メモリに記憶された命令は、
反復レベルを決定し、
前記反復レベルに基づく第１のパラメータと、無線ネットワーク一時識別子（ＲＮＴＩ）に基づく第２のパラメータとを含む数式を用いて、スクランブリング系列生成部用の初期化値を決定し、
スクランブリング系列を生成し、
物理下りリンク共用チャネル（ＰＤＳＣＨ）に前記スクランブリング系列を適用するように実行可能であり、
前記反復レベルは、前記ＰＤＳＣＨに関連し、無線リソース制御（ＲＲＣ）構成により決定される、ｅｖｏｌｖｅｄ  Ｎｏｄｅ  Ｂ。
【請求項１１】
前記反復レベルは、カバレッジ拡張を伴うユーザ装置（ＵＥ）に対して決定される、請求項１０に記載のｅｖｏｌｖｅｄ  Ｎｏｄｅ  Ｂ。
【請求項１２】
前記カバレッジ拡張を伴う前記ＵＥは、システムインフォメーションブロックタイプ１とは異なり、ＴＴＩバンドリングを使用することにより送信される、システムインフォメーションブロックタイプ１Ａ内に含まれるシステムインフォメーションを受信する、請求項１１に記載のｅｖｏｌｖｅｄ  Ｎｏｄｅ  Ｂ。
【発明の詳細な説明】
【技術分野】
【０００１】
本開示は、概して、通信システムに関する。より具体的には、本開示は、特定のユーザ装置を適応させるためのシステム及び方法に関する。
【背景技術】
【０００２】
無線通信デバイスは、消費者の要求を満たすため、並びに携帯性及び利便性を向上させるために、より小さくより強力になってきている。消費者は、無線通信デバイスに依存するようになり、より信頼性の高いサービス、拡張したカバレッジのエリア及び増大した機能を期待するようになってきている。無線通信システムは、多数の無線通信デバイスに対して通信を提供することができ、多数の無線通信デバイスのそれぞれに、基地局によりサービスを提供することができる。基地局は、無線通信デバイスとの通信をするデバイスとすることができる。
【０００３】
無線通信デバイスの進歩につれて、通信の容量、速度、柔軟性、低複雑度及び効率の向上が求められてきている。しかし、通信の容量、速度、柔軟性、低複雑度及び効率を向上させることは、ある特定の問題を引き起こすことがある。
【０００４】
例えば、無線通信デバイスは、複数の接続を使用して、１つ以上のデバイスとの通信をすることができる。しかし、複数の接続は、限定された柔軟性及び効率を提供することのみ可能である。本説明により示されるように、通信の柔軟性及び効率を向上するシステム並びに方法は、有益であり得る。
【発明の概要】
【０００５】
本発明の一実施形態は、反復レベルを決定することと、反復レベルに基づいてスクランブリング系列生成部用の初期化値を決定することと、スクランブリング系列を生成することと、物理下りリンク共用チャネル（Physical Downlink Shared Channel）（ＰＤＳＣＨ）にスクランブリング系列を適用することと、を含むユーザ装置（user equipment）（ＵＥ）によって実行される方法を開示し、反復レベルは、ＰＤＳＣＨに関連し、無線リソース制御（Radio Resource Control）（ＲＲＣ）構成により決定される。
【０００６】
本発明の別の実施形態は、反復レベルを決定することと、反復レベルに基づいてスクランブリング系列生成部用の初期化値を決定することと、スクランブリング系列を生成することと、物理下りリンク共用チャネル（ＰＤＳＣＨ）にスクランブリング系列を適用することと、を含むｅｖｏｌｖｅｄ  Ｎｏｄｅ  Ｂ（ｅＮＢ）によって実行される方法を開示し、反復レベルは、ＰＤＳＣＨに関連し、無線リソース制御（ＲＲＣ）構成により決定される。
【０００７】
本発明の更に別の実施形態は、プロセッサと、プロセッサと電子通信を行うメモリとを備えるユーザ装置（ＵＥ）であって、メモリに記憶された命令は、反復レベルを決定し、反復レベルに基づいてスクランブリング系列生成部用の初期化値を決定し、スクランブリング系列を生成し、物理下りリンク共用チャネル（ＰＤＳＣＨ）にスクランブリング系列を適用するように実行可能であり、反復レベルは、ＰＤＳＣＨに関連し、無線リソース制御（ＲＲＣ）構成により決定される、ユーザ装置を開示する。
【０００８】
本発明の更に別の実施形態は、プロセッサと、プロセッサと電子通信を行うメモリとを備えるｅｖｏｌｖｅｄ  Ｎｏｄｅ  Ｂ（ｅＮＢ）であって、メモリに記憶された命令は、反復レベルを決定し、反復レベルに基づいてスクランブリング系列生成部用の初期化値を決定し、スクランブリング系列を生成し、物理下りリンク共用チャネル（ＰＤＳＣＨ）にスクランブリング系列を適用するように実行可能であり、反復レベルは、ＰＤＳＣＨに関連し、無線リソース制御（ＲＲＣ）構成により決定される、ｅｖｏｌｖｅｄ  Ｎｏｄｅ  Ｂを開示する。
【図面の簡単な説明】
【０００９】
【図１】特定のユーザ装置を適応させるためのシステム及び方法を実行することができる、１つ以上のｅｖｏｌｖｅｄ  Ｎｏｄｅ  Ｂ（ｅＮＢ）及び１つ以上のユーザ装置（ＵＥ）の一構成を示すブロック図である。
【図２】ＵＥによりスクランブリング系列を生成するための方法の一実現形態を示す流れ図である。
【図３】ｅＮＢによりスクランブリング系列を生成するための方法の一実現形態を示す流れ図である。
【図４】ＵＥ内に用いることができる各種構成要素を示す。
【図５】ｅＮＢ内に用いることができる各種構成要素を示す。
【発明を実施するための形態】
【００１０】
ユーザ装置（ＵＥ）によって実行される方法を説明する。方法は、レベルを決定することと、少なくともレベルに基づいてスクランブリング系列生成部用の初期化値を決定することと、スクランブリング系列を生成することと、物理下りリンク共用チャネル（ＰＤＳＣＨ）にスクランブリング系列を適用することと、を含む。レベルは、少なくともＰＤＳＣＨに対する伝送時間間隔（Transmission Time Interval）（ＴＴＩ）のバンドルサイズに基づいて決定することができる。レベルは、既定のカテゴリを有するＵＥに対して決定することができる。既定のカテゴリを有するＵＥは、システムインフォメーションブロックタイプ１とは異なり、ＴＴＩバンドリングを使用することにより送信される、システムインフォメーションブロックタイプ１Ａ内に含まれるシステムインフォメーションを受信することができる。
【００１１】
ｅｖｏｌｖｅｄ  Ｎｏｄｅ  Ｂ（ｅＮＢ）によって実行される方法もまた、説明する。方法は、レベルを決定することと、少なくともレベルに基づいてスクランブリング系列生成部用の初期化値を決定することと、スクランブリング系列を生成することと、物理下りリンク共用チャネル（ＰＤＳＣＨ）にスクランブリング系列を適用することと、を含む。レベルは、少なくともＰＤＳＣＨに対する伝送時間間隔（ＴＴＩ）のバンドルサイズに基づいて決定することができる。レベルは、既定のカテゴリを有するユーザ装置（ＵＥ）に対して決定することができる。既定のカテゴリを有するＵＥは、システムインフォメーションブロックタイプ１とは異なり、ＴＴＩバンドリングを使用することにより送信される、システムインフォメーションブロックタイプ１Ａ内に含まれるシステムインフォメーションを受信することができる。
【００１２】
ユーザ装置（ＵＥ）もまた、説明される。ＵＥは、プロセッサ及びプロセッサと電子通信を行うメモリを含む。メモリに記憶された命令は、レベルを決定し、少なくともレベルに基づいてスクランブリング系列生成部用の初期化値を決定し、スクランブリング系列を生成し、物理下りリンク共用チャネル（ＰＤＳＣＨ）にスクランブリング系列を適用するように実行可能である。レベルは、少なくともＰＤＳＣＨに対する伝送時間間隔（ＴＴＩ）のバンドルサイズに基づいて決定することができる。レベルは、既定のカテゴリを有するＵＥに対して決定することができる。既定のカテゴリを有するＵＥは、システムインフォメーションブロックタイプ１とは異なり、ＴＴＩバンドリングを使用することにより送信される、システムインフォメーションブロックタイプ１Ａ内に含まれるシステムインフォメーションを受信することができる。
【００１３】
ｅｖｏｌｖｅｄ  Ｎｏｄｅ  Ｂ（ｅＮＢ）もまた、説明される。ｅＮＢは、プロセッサ及びプロセッサと電子通信を行うメモリを含む。メモリに記憶された命令は、レベルを決定し、少なくともレベルに基づいてスクランブリング系列生成部用の初期化値を決定し、スクランブリング系列を生成し、物理下りリンク共用チャネル（ＰＤＳＣＨ）にスクランブリング系列を適用するように実行可能である。レベルは、少なくともＰＤＳＣＨに対する伝送時間間隔（ＴＴＩ）のバンドルサイズに基づいて決定することができる。レベルは、既定のカテゴリを有するユーザ装置（ＵＥ）に対して決定することができる。既定のカテゴリを有するＵＥは、システムインフォメーションブロックタイプ１とは異なり、ＴＴＩバンドリングを使用することにより送信される、システムインフォメーションブロックタイプ１Ａ内に含まれるシステムインフォメーションを受信することができる。
【００１４】
３ＧＰＰのロングタームエボリューション（Long Term Evolution）（ＬＴＥ）は、将来の要求に対処するためにＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）用携帯電話又は携帯デバイスの標準を改良するためのプロジェクトに与えられた名前である。一態様では、ＵＭＴＳは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）及びＥｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）のためのサポート並びに仕様を提供するために変更されてきた。
【００１５】
本明細書で開示するシステム及び方法の少なくともいくつかの態様は、３ＧＰＰのＬＴＥ、ＬＴＥ−Ａｄｖａｎｃｅｄ（ＬＴＥ−Ａ）及びその他の標準（例えば、３ＧＰＰ  Ｒｅｌｅａｓｅｓ  ８，９，１０，１１，１２及び／又は１３）に関連して説明することができる。しかし、本開示の範囲は、これに関して限定されるべきではない。本明細書で開示するシステム及び方法の少なくともいくつかの態様は、他の種類の無線通信システムに用いることができる。
【００１６】
無線通信デバイスは、音声及び／又はデータを基地局に通信するために使用され、次に、デバイスのネットワーク（例えば、公衆交換電話網（public switched telephone network）（ＰＳＴＮ）、インターネットなど）との通信をすることができる、電子デバイスとすることができる。本明細書で説明するシステム及び方法では、無線通信デバイスは、あるいは、移動局、ＵＥ（ユーザ装置）、アクセス端末、加入者局、携帯端末、遠隔局、ユーザ端末、端末、加入者ユニット、携帯デバイスなどと呼ばれる場合もある。無線通信デバイスの例としては、携帯電話、スマートフォン、パーソナルデジタルアシスタント（personal digital assistants）（ＰＤＡ）、ラップトップコンピュータ、ネットブック、電子ブックリーダー、無線モデムなどが挙げられる。３ＧＰＰの仕様では、無線通信デバイスは、一般的にＵＥと呼ばれる。しかし、本開示の範囲は、３ＧＰＰ標準に限定されるべきではないため、用語「ＵＥ」及び「無線通信デバイス」は、より一般的な用語「無線通信デバイス」を意味するために、本明細書で互換的に使用されることがある。
３ＧＰＰの仕様では、基地局は、一般的に、Ｎｏｄｅ  Ｂ、ｅＮＢ、ｈｏｍｅ  ｅｎｈａｎｃｅｄ  ｏｒ  ｅｖｏｌｖｅｄ  Ｎｏｄｅ  Ｂ（ＨｅＮＢ）、又はなんらかの他の類似の専門用語で呼ばれる。本開示の範囲は、３ＧＰＰ標準に限定されるべきではないため、用語「基地局」、「Ｎｏｄｅ  Ｂ」、「ｅＮＢ」及び「ＨｅＮＢ」は、より一般的な用語「基地局」を意味するために、本明細書で互換的に使用されることがある。更に、「基地局」の一例は、アクセスポイントである。アクセスポイントは、無線通信デバイスのためのネットワーク（例えば、ローカルエリアネットワーク（Local Area Network）（ＬＡＮ）、インターネットなど）へのアクセスを提供する電子デバイスとすることができる。用語「通信デバイス」は、無線通信デバイス及び／又は基地局の両方を表すために使用される場合がある。
【００１７】
本明細書で使用される場合、「セル」は、Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ（ＩＭＴ−Ａｄｖａｎｃｅｄ）用に使用するために標準化又は規制機関により規定される、任意の通信チャネルとすることができ、そのすべて又はその一部は、ｅＮＢとＵＥとの間の通信用に使用するためにライセンスバンド（例えば、周波数帯域）として３ＧＰＰにより採用されることがあることを留意すべきである。Ｅ−ＵＴＲＡ及びＥ−ＵＴＲＡＮの全体の説明では、本明細書で使用される場合、「セル」は、「下りリンク及び任意選択的の上りリンクのリソースの組み合わせ」として定義される場合があることもまた留意すべきである。下りリンクリソースのキャリア周波数と上りリンクリソースのキャリア周波数との間のリンキングを、下りリンクリソース上で送信されるシステムインフォメーション内に示すことができる。
【００１８】
「構成されたセル」は、ＵＥが認識していて、情報を送信又は受信することをｅＮＢにより許可された、セルである。「構成されたセル（単数又は複数）」は、サービングセル（単数又は複数）とすることができる。ＵＥは、システムインフォメーションを受信して、構成されたセルに関して必要な測定を実行することができる。無線接続用に「構成されたセル（単数又は複数）」は、プライマリーセル及び／又は０、１つ、若しくは１つより多くのセカンダリーセル（単数又は複数）からなることができる。「アクティベートセル」は、その上でＵＥが送受信している、構成されたセルである。すなわち、アクティベートセルは、ＵＥが物理下りリンク制御チャネル（ＰＤＣＣＨ）を監視する対象となるセル、及び下りリンク伝送の場合には、ＵＥが物理下りリンク共用チャネル（ＰＤＳＣＨ）を復号する対象となるセルである。「ディアクティベートセル」は、ＵＥが伝送ＰＤＣＣＨを監視していない、構成されたセルである。「セル」は、異なる次元の観点から説明される場合があることを留意すべきである。例えば、「セル」は、時間的な特性、空間的な（例えば、地理的な）特性、及び周波数特性を有することがある。
【００１９】
本明細書で説明するシステム及び方法は、キャリアアグリゲーション動作での無線リソースの効率的な使用を向上させることができる。キャリアアグリゲーションは、１つより多くのコンポーネントキャリア（component carrier）（ＣＣ）の同時利用を指す。キャリアアグリゲーションでは、１つより多くのセルを、ＵＥに集約する（aggregate）ことができる。一例では、キャリアアグリゲーションは、ＵＥに対して利用可能な有効帯域幅を増大させるために使用することができる。従来のキャリアアグリゲーションでは、単一のｅＮＢは、ＵＥに対して複数のサービングセルを提供すると仮定される。２つ以上のセルを集約することができるシナリオ（例えば、ｒｅｍｏｔｅ  ｒａｄｉｏ  ｈｅａｄ（ＲＲＨ）セルと共に集約されたマクロセル）においても、セルは、単一のｅＮＢにより制御（例えば、スケジュール制御）することができる。しかし、スモールセル配備のシナリオでは、それぞれのノード（例えば、ｅＮＢ、ＲＲＨなど）は、それ自体の独立したスケジューラを有することができる。両方のノードの無線リソース利用の効率を最大化するために、ＵＥは、異なるスケジューラを有する２つ以上のノードに接続することができる。本明細書で説明するシステム及び方法は、デュアルコネクティビティ動作での無線リソースの効率的な使用を向上させることができる。ＵＥは、複数の群のサービングセルに対して構成することができ、それぞれの群は、キャリアアグリゲーション動作を有することができる（例えば、群が１つより多くのサービングセルを含む場合）。
【００２０】
ＵＥ内に多くの機能を有する代わりに、本明細書で説明するシステム及び方法は、限定した機能を有する新しい種類又は新しいカテゴリを有するＵＥ（例えば、特定のＵＥ）の適応を向上させることができる。特に、そのようなＵＥは、マシンタイプコミュニケーション（Machine-Type Communications）（ＭＴＣ）に対して効率的であり得るが、それは、ＭＴＣ使用事例に限定されないことが留意される。セルラーネットワークを介したマシンタイプコミュニケーション（ＭＴＣ）の提供は、移動通信事業者にとって新しい収益生成のための重要な機会であることを証明している。Ｒｅｌｅａｓｅ  １２での「Ｌｏｗ  ｃｏｓｔ＆ｅｎｈａｎｃｅｄ  ｃｏｖｅｒａｇｅ  ＭＴＣ  ＵＥ  ｆｏｒ  ＬＴＥ」は、複雑度低減技術の組み合わせを使用して、Ｅｎｈａｎｃｅｄ  Ｇｅｎｅｒａｌ  Ｐａｃｋｅｔ  Ｒａｄｉｏ  Ｓｅｒｖｉｃｅ（ＥＧＰＲＳ）モデムの部品表のコストに近い部品表のコストを有するＭＴＣ用の低複雑度のＬＴＥデバイスを規定した。しかし、この検討の結果は、追加の複雑度低減技術がサポートされた場合、ＭＴＣ用のＬＴＥデバイスの更なる複雑度低減を実現できることを示した。
【００２１】
加えて、Ｒｅｌｅａｓｅ  １２での検討は、通常のＬＴＥの通信可能地域と比較した、周波数分割二重（Frequency Division Duplex）（ＦＤＤ）及び時分割二重（Time Division Duplex）（ＴＤＤ）の両方に対する１５〜２０ｄＢのカバレッジ向上目標を達成でき、ＭＴＣデバイスが困難な場所、例えば、建物内部の奥深くに配置される使用事例をサポートし、複雑度低減技術により生じたゲイン損失に対して補償することができると結論付けた。
【００２２】
全体的な目的は、既存のＬＴＥネットワークと比較して拡張したカバレッジ及び低電力消費もまた可能にする、ＬＴＥにおける新しいＵＥを規定することであり、以下の詳細な目的を伴う。それは、以下の追加の能力をサポートするＲｅｌ−１２の低複雑度ＵＥカテゴリ／種類に基づいて、任意のＬＴＥ二重モード（全二重ＦＤＤ、半二重ＦＤＤ、ＴＤＤ）におけるＭＴＣ動作用の新しい低複雑度のＵＥカテゴリ／種類を規定することであり得る。それは、下りリンク及び上りリンクにおける１．４ＭＨｚの低減したＵＥの帯域幅（すなわち、６物理リソースブロック（Physical Resource Blocks）（ＰＲＢ））であり得る。それは、任意のシステム帯域幅内で動作することができるであろう、帯域幅を低減したＵＥであり得る。それは、帯域幅を低減したＵＥの周波数多重化であり得、非ＭＴＣのＵＥがサポートされなければならない。それは、ＵＥが、下りリンク及び上りリンクにおいて１．４ＭＨｚのＲＦ帯域幅をサポートすることだけを必要とすることであり得る。本開示は、特に、どのように、低複雑度の、帯域幅を低減した、及び／又はカバレッジを拡張したＵＥ（例えば、特定のＵＥ、ＭＴＣ用ＵＥ）を、現在及び将来のＬＴＥシステムにおいて適応させることができるかに関する。
【００２３】
本明細書で開示するシステム及び方法の様々な実施例を、図面を参照してここで説明する。同じ参照番号は、機能的に類似の要素を示す場合がある。本明細書で図面で概して説明して示されるようなシステム及び方法は、多様な異なる実現形態に構成して設計することができる。したがって、図面で示されるようないくつかの実現形態の以下のより詳細な説明は、特許請求の範囲におけるような範囲を限定することを意図しておらず、システム及び方法の単なる典型的なものに過ぎない。
【００２４】
図１は、特定のＵＥを適応させるためのシステム及び方法を実行することができる、１つ以上のｅｖｏｌｖｅｄ  Ｎｏｄｅ  Ｂ（ｅＮＢ）１６０及び１つ以上のユーザ装置（ＵＥ）１０２の一構成を示すブロック図である。１つ以上のＵＥ１０２は、１つ以上のアンテナ１２２ａ〜ｎを使用して、１つ以上のｅＮＢ１６０との通信をすることができる。例えば、ＵＥ１０２は、１つ以上のアンテナ１２２ａ〜ｎを使用して、ｅＮＢ１６０に電磁信号を送信し、ｅＮＢ１６０から電磁信号を受信する。ｅＮＢ１６０は、１つ以上のアンテナ１８０ａ〜ｎを使用して、ＵＥ１０２との通信をする。
【００２５】
いくつかの構成では、本明細書で説明するＵＥ１０２の１つ以上は、単一のデバイス内に実装することができることを留意すべきである。例えば、いくつかの実装形態では、複数のＵＥ１０２を、単一のデバイスに組み合わせることができる。加えて又は代わりに、いくつかの構成では、本明細書で説明するｅＮＢ１６０の１つ以上を、単一のデバイス内に実装することができる。例えば、いくつかの実装形態では、複数のｅＮＢ１６０を、単一のデバイスに組み合わせることができる。図１のコンテキストでは、例えば、単一のデバイスが、本明細書で説明するシステム及び方法による、１つ以上のＵＥ１０２を含むことができる。加えて又は代わりに、本明細書で説明するシステム及び方法による１つ以上のｅＮＢ１６０を、単一のデバイス又は複数のデバイスとして実装することができる。
【００２６】
ＵＥ１０２及びｅＮＢ１６０は、互いとの通信をするために、１つ以上のチャネル１１９、１２１を使用することができる。例えば、ＵＥ１０２は、１つ以上の上りリンクチャネル１２１及び信号を使用して、ｅＮＢ１６０に情報又はデータを送信することができる。上りリンクチャネル１２１の例としては、物理上りリンク制御チャネル（physical uplink control channel）（ＰＵＣＣＨ）及び物理上りリンク共用チャネル（physical uplink shared channel）（ＰＵＳＣＨ）などが挙げられる。上りリンク信号の例としては、復調参照信号（demodulation reference signal）（ＤＭＲＳ）及びサウンディング参照信号（sounding reference signal）（ＳＲＳ）などが挙げられる。１つ以上のｅＮＢ１６０はまた、例えば、１つ以上の下りリンクチャネル１１９及び信号を使用して、１つ以上のＵＥ１０２に情報又はデータを送信することができる。下りリンクチャネル１１９の例としては、ＰＤＣＣＨ、ＰＤＳＣＨなどが挙げられる。下りリンク信号の例としては、プライマリ同期信号（primary synchronization signal）（ＰＳＳ）、セル固有参照信号（cell−specific reference signal）（ＣＲＳ）及びチャネル状態情報（channel state information）（ＣＳＩ）参照信号（reference signal）（ＣＳＩ−ＲＳ）などが挙げられる。他の種類のチャネル又は信号を使用することができる。
【００２７】
１つ以上のＵＥ１０２のそれぞれは、１つ以上の送受信部１１８、１つ以上の復調部１１４、１つ以上の復号部１０８、１つ以上の符号化部１５０、１つ以上の変調部１５４、１つ以上のデータバッファ１０４、及び１つ以上のＵＥ動作モジュール１２４を含むことができる。例えば、１つ以上の受信及び／又は送信経路を、ＵＥ１０２内に実装することができる。利便性のために、単一の送受信部１１８、復号部１０８、復調部１１４、符号化部１５０、及び変調部１５４のみをＵＥ１０２内に示しているが、複数の並列の要素（例えば、送受信部１１８、復号部１０８、復調部１１４、符号化部１５０、及び変調部１５４）を実装することができる。
【００２８】
送受信部１１８は、１つ以上の受信部１２０及び１つ以上の送信部１５８を含むことができる。１つ以上の受信部１２０は、１つ以上のアンテナ１２２ａ〜ｎを使用して、ｅＮＢ１６０から信号を受信することができる。例えば、受信部１２０は、信号を受信してダウンコンバートして、１つ以上の受信信号１１６を生成することができる。１つ以上の受信信号１１６は、復調部１１４に供給されてもよい。１つ以上の送信部１５８は、１つ以上のアンテナ１２２ａ〜ｎを使用して、ｅＮＢ１６０に信号を送信することができる。例えば、１つ以上の送信部１５８は、１つ以上の変調信号１５６をアップコンバートして送信することができる。
【００２９】
復調部１１４は、１つ以上の受信信号１１６を復調して、１つ以上の復調信号１１２を生成することができる。１つ以上の復調信号１１２は、復号部１０８に供給されてもよい。ＵＥ１０２は、信号を復号するために、復号部１０８を使用することができる。復号部１０８は、１つ以上の復号された信号１０６、１１０を生成することができる。例えば、第１の、ＵＥによって復号された信号１０６は、受信したペイロードデータを含むことができ、それはデータバッファ１０４に記憶されてもよい。第２の、ＵＥによって復号された信号１１０は、オーバーヘッドデータ及び／又は制御データを含むことができる。例えば、第２の、ＵＥによって復号された信号１１０は、ＵＥ動作モジュール１２４により１つ以上の動作を実行するために使用することができるデータを提供することができる。
【００３０】
本明細書で使用される場合、用語「モジュール（module）」は、特定の要素又は構成要素を、ハードウェア、ソフトウェア、又はハードウェア及びソフトウェアの組み合わせの形式で実装することができることを意味する場合がある。しかし、本明細書で「モジュール」として表された任意の要素を、ハードウェアの形式で代わりに実装することができることを留意すべきである。例えば、ＵＥ動作モジュール１２４は、ハードウェア、ソフトウェア、又は両方の組み合わせの形式で実装することができる。
【００３１】
一般的に、ＵＥ動作モジュール１２４は、ＵＥ１０２が１つ以上のｅＮＢ１６０との通信をすることを可能にすることができる。ＵＥ動作モジュール１２４は、ＵＥスクランブリング制御モジュール１２６、ＵＥバンドリング制御モジュール１２８、及びＵＥ反復制御モジュール１３０の１つ以上を含むことができる。いくつかの実装形態では、ＵＥ動作モジュール１２４は、物理（physical）（ＰＨＹ）エンティティ、媒体アクセス制御（Medium Access Control）（ＭＡＣ）エンティティ、無線リンク制御（Radio Link Control）（ＲＬＣ）エンティティ、パケットデータ統合プロトコル（packet data convergence protocol）（ＰＤＣＰ）エンティティ、及び無線リソース制御（ＲＲＣ）エンティティを含むことができる。
【００３２】
ＵＥ動作モジュール１２４は、物理チャネル（例えば、ＰＤＳＣＨ、ＰＵＳＣＨ）を効率的にスクランブリングする利点を提供することができる。ＵＥスクランブリング制御モジュール１２６は、スクランブリング系列生成部を含むことができる。スクランブリング系列生成部は、それぞれのサブフレームの開始時に初期化することができ、初期化値ｃｉｎｉｔは、レベル（例えば、反復レベル、ＴＴＩ＿ＢＵＮＤＬＥ＿ＳＩＺＥ）、物理チャネル（例えば、ＰＤＳＣＨ、ＰＵＳＣＨ）伝送に関連する無線ネットワーク一時識別子（Radio Network Temporary Identifier）（ＲＮＴＩ）、及び／又は物理層セル識別子に基づいて決定することができる。
【００３３】
初期化値ｃｉｎｉｔは、トランスポートチャネルの種類によって、以下の式に従ってよい。
【数１】
0006615897.tif 000002
ここで、
【数２】
0006615897.tif 000003
は、物理チャネル（例えば、ＰＤＳＣＨ、ＰＵＳＣＨ）伝送に関連するＲＮＴＩに対応し得る。Ｌは、物理チャネル（例えば、ＰＤＳＣＨ、ＰＵＳＣＨ）伝送及び／又はＲＮＴＩに関連するレベル（例えば、反復レベル、ＴＴＩ＿ＢＵＮＤＬＥ＿ＳＩＺＥ）とすることができる。１つのサブフレーム内に最大２つのコードワードを送信することができる。すなわち、
【数３】
0006615897.tif 000004
単一のコードワードの送信の場合では、ｑは、ゼロに等しい。
【００３４】
それぞれのコードワードｑに対して、ビットのブロックは、
【数４】
0006615897.tif 000005
ここで、
【数５】
0006615897.tif 000006
は、１つのサブフレーム内の物理チャネル上で送信されたコードワードｑ内のビットの数とすることができ、変調の前にスクランブリングされることがあり、結果としてスクランブリングされたビットのブロックとなる。
【数６】
0006615897.tif 000007
上記の式は、以下に従う。
【数７】
0006615897.tif 000008
ここで、スクランブリング系列
【数８】
0006615897.tif 000009
は、以下の疑似ランダム系列により与えられる。スクランブリング系列生成部は、それぞれのサブフレームの開始時に初期化することができる。疑似ランダム系列は、長さ３１のゴールド系列により定義することができる。長さＭＰＮの出力系列ｃ（ｎ）は、ここで、
【数９】
0006615897.tif 000010
として、以下の式により定義される。
【数１０】
0006615897.tif 000011
ここで、ＮＣ＝１６００であって、第１のｍ系列は、以下の式で初期化することができる。
【数１１】
0006615897.tif 000012
第２のｍ系列の初期化は、以下の式で表され、
【数１２】
0006615897.tif 000013
値は、系列の適用に依存する。
【００３５】
ＵＥ動作モジュール１２４は、１つ以上の受信部１２０に情報１４８を供給することができる。例えば、ＵＥ動作モジュール１２４は、ＲＲＣメッセージ（例えば、報知されたシステムインフォメーション、ＲＲＣ接続再構成メッセージ）、ＭＡＣ制御要素、及び／又はＤＣＩ（Downlink Control Information）（下りリンク制御情報）に基づいて、いつ送信を受信するべきか又はいつ受信するべきでないかを受信部（単数又は複数）１２０に通知することができる。
【００３６】
ＵＥ動作モジュール１２４は、復調部１１４に情報１３８を供給することができる。例えば、ＵＥ動作モジュール１２４は、ｅＮＢ１６０からの送信に対して予想される変調パターンを復調部１１４に通知することができる。
【００３７】
ＵＥ動作モジュール１２４は、復号部１０８に情報１３６を供給することができる。例えば、ＵＥ動作モジュール１２４は、ｅＮＢ１６０からの送信に対して予想される符号化を復号部１０８に通知することができる。
【００３８】
ＵＥ動作モジュール１２４は、符号化部１５０に情報１４２を供給することができる。情報１４２は、符号化されるデータ及び／又は符号化用の命令を含むことができる。例えば、ＵＥ動作モジュール１２４は、送信データ１４６及び／又は他の情報１４２を符号化するように符号化部１５０に命令することができる。
【００３９】
符号化部１５０は、ＵＥ動作モジュール１２４により供給された送信データ１４６及び／又は他の情報１４２を符号化することができる。例えば、データ１４６及び／又は他の情報１４２を符号化することは、誤り検出及び／又は訂正符号化、データを送信用の空間、時間及び／又は周波数リソースへマッピングすること、多重化などを伴う場合がある。符号化部１５０は、変調部１５４に符号化されたデータ１５２を供給することができる。
【００４０】
ＵＥ動作モジュール１２４は、変調部１５４に情報１４４を供給することができる。例えば、ＵＥ動作モジュール１２４は、ｅＮＢ１６０への送信に対して使用される変調の種類（例えば、コンステレーションマッピング（constellation mapping））を変調部１５４に通知することができる。変調部１５４は、符号化されたデータ１５２を変調して、１つ以上の送信部１５８に１つ以上の変調信号１５６を供給することができる。
【００４１】
ＵＥ動作モジュール１２４は、１つ以上の送信部１５８に情報１４０を供給することができる。この情報１４０は、１つ以上の送信部１５８用の命令を含むことができる。例えば、ＵＥ動作モジュール１２４は、いつｅＮＢ１６０に信号を送信するべきかを１つ以上の送信部１５８に命令することができる。１つ以上の送信部１５８は、変調信号（単数又は複数）１５６をアップコンバートして１つ以上のｅＮＢ１６０に送信することができる。
【００４２】
ＵＥバンドリング制御モジュール１２８は、ＴＴＩバンドリング動作を制御することができる。ＵＥ反復制御モジュール１３０は、反復動作を制御することができる。
【００４３】
ｅＮＢ１６０は、１つ以上の送受信部１７６、１つ以上の復調部１７２、１つ以上の復号部１６６、１つ以上の符号化部１０９、１つ以上の変調部１１３、１つ以上のデータバッファ１６２、及び１つ以上のｅＮＢ動作モジュール１８２を含むことができる。例えば、１つ以上の受信及び／又は送信経路を、ｅＮＢ１６０内に実装することができる。利便性のために、単一の送受信部１７６、復号部１６６、復調部１７２、符号化部１０９、及び変調部１１３のみをｅＮＢ１６０内に示しているが、複数の並列の要素（例えば、送受信部１７６、復号部１６６、復調部１７２、符号化部１０９、及び変調部１１３）を実装することができる。
【００４４】
送受信部１７６は、１つ以上の受信部１７８及び１つ以上の送信部１１７を含むことができる。１つ以上の受信部１７８は、１つ以上のアンテナ１８０ａ〜ｎを使用して、ＵＥ１０２から信号を受信することができる。例えば、受信部１７８は、信号を受信してダウンコンバートして、１つ以上の受信信号１７４を生成することができる。１つ以上の受信信号１７４は、復調部１７２に供給されてもよい。１つ以上の送信部１１７は、１つ以上のアンテナ１８０ａ〜ｎを使用して、ＵＥ１０２に信号を送信することができる。例えば、１つ以上の送信部１１７は、１つ以上の変調信号１１５をアップコンバートして送信することができる。
【００４５】
復調部１７２は、１つ以上の受信信号１７４を復調して、１つ以上の復調信号１７０を生成することができる。１つ以上の復調信号１７０は、復号部１６６に供給されてもよい。ｅＮＢ１６０は、信号を復号するために、復号部１６６を使用することができる。復号部１６６は、１つ以上の復号された信号１６４、１６８を生成することができる。例えば、第１の、ｅＮＢによって復号された信号１６４は、受信したペイロードデータを含むことができ、それはデータバッファ１６２に記憶されてもよい。第２の、ｅＮＢによって復号された信号１６８は、オーバーヘッドデータ及び／又は制御データを含むことができる。例えば、第２の、ｅＮＢによって復号された信号１６８は、ｅＮＢ動作モジュール１８２により１つ以上の動作を実行するために使用することができるデータ（例えば、ＰＵＳＣＨ伝送データ）を提供することができる。
【００４６】
一般的に、ｅＮＢ動作モジュール１８２は、ｅＮＢ１６０が１つ以上のＵＥ１０２との通信をすることを可能にすることができる。ｅＮＢ動作モジュール１８２は、ｅＮＢスクランブリング制御モジュール１９４、ｅＮＢバンドリング制御モジュール１９６、及びｅＮＢ反復制御モジュール１９８の１つ以上を含むことができる。ｅＮＢ動作モジュール１８２は、ＰＨＹエンティティ、ＭＡＣエンティティ、ＲＬＣエンティティ、ＰＤＣＰエンティティ、及びＲＲＣエンティティを含むことができる。
【００４７】
ｅＮＢ動作モジュール１８２は、物理チャネル（例えば、ＰＤＳＣＨ、ＰＵＳＣＨ）を効率的にスクランブリングする利点を提供することができる。ｅＮＢスクランブリング制御モジュール１９４は、スクランブリング系列生成部を含むことができる。スクランブリング系列生成部は、それぞれのサブフレームの開始時に初期化することができ、初期化値ｃｉｎｉｔは、レベル（例えば、反復レベル、ＴＴＩ＿ＢＵＮＤＬＥ＿ＳＩＺＥ）、物理チャネル（例えば、ＰＤＳＣＨ、ＰＵＳＣＨ）伝送に関連するＲＮＴＩ、及び／又は物理層セル識別子に基づいて決定することができる。
【００４８】
初期化値ｃｉｎｉｔは、トランスポートチャネルの種類によって、以下の式に従ってよい。
【数１３】
0006615897.tif 000014
ここで、
【数１４】
0006615897.tif 000015
は、物理チャネル（例えば、ＰＤＳＣＨ、ＰＵＳＣＨ）伝送に関連するＲＮＴＩに対応し得る。Ｌは、物理チャネル（例えば、ＰＤＳＣＨ、ＰＵＳＣＨ）伝送及び／又はＲＮＴＩに関連するレベル（例えば、反復レベル、ＴＴＩ＿ＢＵＮＤＬＥ＿ＳＩＺＥ）とすることができる。１つのサブフレーム内に最大２つのコードワードを送信することができる。すなわち、
【数１５】
0006615897.tif 000016
単一のコードワード送信の場合では、ｑは、ゼロに等しく、ｎｓは、１つの無線フレーム内のスロット番号（０〜２０）である。
【００４９】
それぞれのコードワードｑに対して、ビットのブロックは、
【数１６】
0006615897.tif 000017
ここで、
【数１７】
0006615897.tif 000018
は、１つのサブフレーム内の物理チャネル上で送信されたコードワードｑ内のビットの数とすることができ、変調前にスクランブリングされることがあり、結果としてスクランブリングされたビットのブロックとなる。
【数１８】
0006615897.tif 000019
上記の式は、以下に従う。
【数１９】
0006615897.tif 000020
ここで、スクランブリング系列
【数２０】
0006615897.tif 000021
は、以下の疑似ランダム系列により与えられる。スクランブリング系列生成部は、それぞれのサブフレームの開始時に初期化することができる。疑似ランダム系列は、長さ３１のゴールド系列により定義することができる。長さＭＰＮの出力系列ｃ（ｎ）は、ここで、
【数２１】
0006615897.tif 000022
として、以下の式により定義される。
【数２２】
0006615897.tif 000023
ここで、ＮＣ＝１６００であって、第１のｍ系列は、以下の式で初期化することができる。
【数２３】
0006615897.tif 000024
第２のｍ系列の初期化は、以下の式で表され、
【数２４】
0006615897.tif 000025
値は、系列の適用に依存する。
【００５０】
ｅＮＢ動作モジュール１８２は、１つ以上の受信部１７８に情報１９０を供給することができる。例えば、ｅＮＢ動作モジュール１８２は、ＲＲＣメッセージ（例えば、報知されたシステムインフォメーション、ＲＲＣ接続再構成メッセージ）、ＭＡＣ制御要素、及び／又はＤＣＩ（下りリンク制御情報）に基づいて、いつ送信を受信するべきか又はいつ受信するべきでないかを受信部（単数又は複数）１７８に通知することができる。
【００５１】
ｅＮＢ動作モジュール１８２は、復調部１７２に情報１８８を供給することができる。例えば、ｅＮＢ動作モジュール１８２は、ＵＥ（単数又は複数）１０２からの送信に対して予想される変調パターンを復調部１７２に通知することができる。
【００５２】
ｅＮＢ動作モジュール１８２は、復号部１６６に情報１８６を供給することができる。例えば、ｅＮＢ動作モジュール１８２は、ＵＥ（単数又は複数）１０２からの送信に対して予想される符号化を復号部１６６に通知することができる。
【００５３】
ｅＮＢ動作モジュール１８２は、符号化部１０９に情報１０１を供給することができる。情報１０１は、符号化されるデータ及び／又は符号化用の命令を含むことができる。例えば、ｅＮＢ動作モジュール１８２は、送信データ１０５及び／又は他の情報１０１を符号化するように符号化部１０９に命令することができる。
【００５４】
符号化部１０９は、ｅＮＢ動作モジュール１８２により供給された送信データ１０５及び／又は他の情報１０１を符号化することができる。例えば、データ１０５及び／又は他の情報１０１を符号化することは、誤り検出及び／又は訂正符号化、データを送信用の空間、時間及び／又は周波数リソースへマッピングすること、多重化などを伴う場合がある。符号化部１０９は、変調部１１３に符号化されたデータ１１１を供給することができる。送信データ１０５は、ＵＥ１０２に中継されるネットワークデータを含むことができる。
【００５５】
ｅＮＢ動作モジュール１８２は、変調部１１３に情報１０３を供給することができる。この情報１０３は、変調部１１３用の命令を含むことができる。例えば、ｅＮＢ動作モジュール１８２は、ＵＥ（単数又は複数）１０２への送信に対して使用される変調の種類（例えば、コンステレーションマッピング）を変調部１１３に通知することができる。変調部１１３は、符号化されたデータ１１１を変調して、１つ以上の送信部１１７に１つ以上の変調信号１１５を供給することができる。
【００５６】
ｅＮＢ動作モジュール１８２は、１つ以上の送信部１１７に情報１９２を供給することができる。この情報１９２は、１つ以上の送信部１１７用の命令を含むことができる。例えば、ｅＮＢ動作モジュール１８２は、ＵＥ（単数又は複数）１０２に信号をいつ送信するべきか（又はいつ送信するべきでないか）を１つ以上の送信部１１７に命令することができる。１つ以上の送信部１１７は、変調信号（単数又は複数）１１５をアップコンバートして１つ以上のＵＥ１０２に送信することができる。
【００５７】
ｅＮＢバンドリング制御モジュール１９６は、ＴＴＩバンドリング動作を制御することができる。ｅＮＢ反復制御モジュール１９８は、反復動作を制御することができる。
【００５８】
ｅＮＢ（単数又は複数）１６０及びＵＥ（単数又は複数）１０２内に含まれる要素又は要素の一部の１つ以上は、ハードウェアの形式で実装することができることを留意すべきである。例えば、これらの要素又は要素の一部の１つ以上は、チップ、回路、又はハードウェア構成要素などとして実装することができる。本明細書で説明する機能又は方法の１つ以上は、ハードウェアの形式で実行することができる、及び／又はハードウェアを使用して実行することができることもまた留意すべきである。例えば、本明細書で説明する方法の１つ以上は、チップセット、特定用途向け集積回路（application-specific integrated circuit）（ＡＳＩＣ）、大規模集積回路（large-scale integrated circuit）（ＬＳＩ）、若しくは集積回路などの中で実行することができる、及び／又はこれらを使用して実現することができる。
【００５９】
図２は、ＵＥ１０２によりスクランブリング系列を生成するための方法２００の一実現形態を示す流れ図である。
【００６０】
ＵＥ１０２は、レベル（例えば、反復レベル、ＴＴＩ＿ＢＵＮＤＬＥ＿ＳＩＺＥ、及び／又はＵＥの種類）を決定することができる（２０２）。レベルは、物理チャネル、トランスポートチャネル、及び／又はＲＮＴＩ毎とすることができる。低複雑度のＵＥに対して、アンテナポートの数を低減すること及び／又は最大送信電力を低減することに起因して、１つのデータ送信のための複数の下りリンク又は上りリンクの伝送が、そのような低減した能力を補償するために必要とされる場合がある。更に、１つのデータ送信のための複数の下りリンク又は上りリンクの伝送は、カバレッジ拡張機能のために使用される場合がある。物理下りリンク制御チャネル（ＰＤＣＣＨ）、物理ランダムアクセスチャネル（Physical Random Access Channel）（ＰＲＡＣＨ）、拡張ＰＤＣＣＨ（Enhanced PDCCH）（ＥＰＤＣＣＨ）、及び／又は物理上りリンク制御チャネル（ＰＵＣＣＨ）に対する複数の伝送に対して、反復を使用することができる。物理下りリンク共用チャネル（ＰＤＳＣＨ）及び／又は物理上りリンク共用チャネル（ＰＵＳＣＨ）に対する複数の伝送に対して、伝送時間間隔（ＴＴＩ）バンドリングを使用することができる。
【００６１】
ＴＴＩバンドリングが構成される場合、パラメータ、ＴＴＩバンドルサイズ（例えば、ＴＴＩ＿ＢＵＮＤＬＥ＿ＳＩＺＥ）は、ＴＴＩバンドルのＴＴＩの数を提供する。ＴＴＩバンドリング動作は、同じバンドルの一部であるそれぞれの伝送に対して同じＨｙｂｒｉｄ  ａｕｔｏｍａｔｉｃ  ｒｅｐｅａｔ  ｒｅｑｕｅｓｔ（ＨＡＲＱ）プロセスを呼び出すための、ＨＡＲＱエンティティに依拠する。バンドル内で、ＨＡＲＱ再伝送は、適応性ではなく、ＴＴＩ＿ＢＵＮＤＬＥ＿ＳＩＺＥに従って、前の伝送からのフィードバックを待つことなくトリガされる。バンドルのＨＡＲＱフィードバックは、そのＴＴＩ内の伝送が行われたか否かに関わらず（例えば、測定ギャップが発生した場合）、バンドルの最後のＴＴＩ（すなわち、ＴＴＩ＿ＢＵＮＤＬＥ＿ＳＩＺＥに対応するＴＴＩ）に対してだけ、送信（例えば、ＰＤＳＣＨに対するＨＡＲＱフィードバック）又は受信（例えば、ＰＵＳＣＨに対するＨＡＲＱフィードバック）される。ＴＴＩバンドルの再伝送もまた、ＴＴＩバンドルである。
【００６２】
レベルは、ＴＴＩ＿ＢＵＮＤＬＥ＿ＳＩＺＥとすることができる。ＴＴＩ＿ＢＵＮＤＬＥ＿ＳＩＺＥの値の組は、レベルに関連付けることができる。例えば、レベル＃１（例えば、Ｌ＝１）は、ＴＴＩ＿ＢＵＮＤＬＥ＿ＳＩＺＥ＝４に対するものとすることができる。レベル＃２は、ＴＴＩ＿ＢＵＮＤＬＥ＿ＳＩＺＥ＝８に対するものとすることができる。別の例として、レベル＃１は、ＴＴＩ＿ＢＵＮＤＬＥ＿ＳＩＺＥ＝４〜７に対するものとすることができる。レベル＃２は、ＴＴＩ＿ＢＵＮＤＬＥ＿ＳＩＺＥ＝８〜３２に対するものとすることができる。レベルは、反復レベルとすることができる。例えば、レベル＃１は、４回の反復に対するものとすることができる。レベル＃２は、８回の反復に対するものとすることができる。
【００６３】
レベルは、ＵＥの種類とすることができる。ＵＥは、いくつかの種類に分類することができる。例えば、タイプ１のＵＥ（例えば、Ｌ＝１）は、既存のカテゴリ（例えば、カテゴリ（０）〜（１３））に分類することができる。タイプ２のＵＥは、帯域幅を低減したＵＥとすることができる。タイプ２のＵＥは、ある特定のレベルの反復及び／又はバンドリング（例えば、カバレッジ補償又はカバレッジ拡張のための）をサポートすることができる。タイプ２のＵＥは、カテゴリ（−１）に分類することができる。加えて、タイプ３のＵＥを定義することができる。タイプ３のＵＥは、より高いレベルの反復及び／又はバンドリングをサポートすることができる。すなわち、タイプ３のＵＥは、タイプ２のＵＥより、回数が多い反復又は大きなサイズのバンドリングをサポートすることができる。タイプ１のＵＥは、システムインフォメーションブロックタイプ１（ＳＩＢ１）内に含まれているシステムインフォメーションを用いて構成することができる。タイプ２のＵＥ及び／又はタイプ３のＵＥは、報知されるシステムインフォメーションを用いて構成することができる、及び／又は、ＳＩＢ１とは異なり、ＴＴＩバンドリング又は反復を使用することにより送信されるシステムインフォメーションブロックタイプ１Ａ（ＳＩＢ１Ａ）内に含まれているシステムインフォメーションを用いて構成することができる。
【００６４】
レベルは、ＴＴＩ＿ＢＵＮＤＬＥ＿ＳＩＺＥ、反復レベル、及びＵＥ１２０の種類の１つ以上に基づいて決定することができる。レベルは、システムインフォメーションとして報知される又は専用のシグナリングにより信号を送られるＲＲＣ構成に基づいて決定することができる。レベルは、加えて又は代わりに、セル固有参照信号（cell-specific reference signal）（ＣＲＳ）若しくは他の参照信号に基づく、参照信号受信電力（Reference Signal Received Power）（ＲＳＲＰ）、受信信号強度指標（Received Signal Strength Indicator）（ＲＳＳＩ）、及び／又は参照信号受信品質（Reference Signal Received Quality）（ＲＳＲＱ）に基づいて、決定することができる。
【００６５】
ＵＥ１０２は、ＰＤＳＣＨ伝送及び／又はＰＵＳＣＨ伝送に対するスクランブリング系列生成部用の初期化値を決定することができる（２０４）。図１で説明したように、初期化値ｃｉｎｉｔは、レベル（例えば、反復レベル、ＴＴＩ＿ＢＵＮＤＬＥ＿ＳＩＺＥ）、物理チャネル（例えば、ＰＤＳＣＨ、ＰＵＳＣＨ）伝送に関連するＲＮＴＩ、及び／又は物理層セル識別子に基づいて決定することができる。例えば、以下の初期化値を使用することができる。Ｌは、物理チャネル（例えば、ＰＤＳＣＨ、ＰＵＳＣＨ）伝送及び／又はＲＮＴＩに関連するレベル（例えば、反復レベル、ＴＴＩ＿ＢＵＮＤＬＥ＿ＳＩＺＥ）とすることができる。
【数２５】
0006615897.tif 000026
別の例として、ＲＮＴＩは、レベルに対して定義することができる。例えば、タイプ１のＵＥに対して、ＲＮＴＩ値を、表７．１−１に示すことができ、それらの使用法並びに関連するトランスポートチャネル及び論理チャネルを、表７．１−２に示す。
【表１】
0006615897.tif 000027
【表２】
0006615897.tif 000028
【００６６】
Ｐ−ＲＮＴＩは、ページングＲＮＴＩである。Ｃ−ＲＮＴＩは、セルＲＮＴＩである。Ｍ−ＲＮＴＩは、ＭＢＭＳ  ＲＮＴＩである。ＲＡＲＮＴＩは、ランダムアクセスＲＮＴＩである。ＳＩ−ＲＮＴＩは、システムインフォメーションＲＮＴＩである。Ｃ−ＲＮＴＩは、セルＲＮＴＩである。ＴＰＣ−ＰＵＣＣＨ−ＲＮＴＩは、送信電力制御−物理上りリンク制御チャネル−１９−ＲＮＴＩである。ＴＰＣ−ＰＵＳＣＨ−ＲＮＴＩは、送信電力制御−物理上りリンク共用チャネル−ＲＮＴＩである。
タイプ２及び／又はタイプ３のＵＥに対して、ＲＮＴＩ値は、レベルに基づいて決定することができる。例えば、レベル＃１に対する（例えば、タイプ１のＵＥに対する）Ｐ−ＲＮＴＩの値は、ＦＦＦＦであり、レベル＃２に対するＰ−ＲＮＴＩの値は、ＦＦＦＣである。別の例として、ＲＮＴＩは、以下の式のように定義することができる。
【数２６】
0006615897.tif 000029
レベル＃１に対する（例えば、タイプ１のＵＥに対する）ＲＡ−ＲＮＴＩの値は、０００１であり、レベル＃２に対するＲＡ−ＲＮＴＩの値は、０００２である。次に、初期化値ｃｉｎｉｔは、以下のように定義することができる。
【数２７】
0006615897.tif 000030
ＵＥ１０２は、スクランブリング系列を生成することができる（２０６）。ＵＥ１０２は、ＰＤＳＣＨを復号するために及び／又はＰＵＳＣＨを符号化するために、スクランブリング系列を適用することができる。それぞれのコードワードｑに対して、ビットのブロックは、
【数２８】
0006615897.tif 000031
ここで、
【数２９】
0006615897.tif 000032
は、１つのサブフレーム内の物理チャネル上で送信されたコードワードｑ内のビットの数とすることができ、変調の前にスクランブリングされることがあり、結果としてスクランブリングされたビットのブロックとなる。
【数３０】
0006615897.tif 000033
上記の式は、以下に従う。
【数３１】
0006615897.tif 000034
ここで、スクランブリング系列
【数３２】
0006615897.tif 000035
は、以下の疑似ランダム系列により与えられる。スクランブリング系列生成部は、それぞれのサブフレームの開始時に初期化することができる。疑似ランダム系列は、長さ３１のゴールド系列により定義することができる。長さＭＰＮの出力系列ｃ（ｎ）は、ここで、
【数３３】
0006615897.tif 000036
として、以下の式により定義される。
【数３４】
0006615897.tif 000037
ここで、ＮＣ＝１６００であって、第１のｍ系列は、以下の式で初期化することができる。
【数３５】
0006615897.tif 000038
第２のｍ系列の初期化は、以下の式で表され、
【数３６】
0006615897.tif 000039
値は、系列の適用に依存する。
【００６７】
図３は、ｅＮＢ１６０によりスクランブリング系列を生成するための方法３００の一実現形態を示す流れ図である。
【００６８】
ｅＮＢ１６０は、レベルを決定することができる（３０２）。図２の説明で述べたように、レベルは、ＴＴＩ＿ＢＵＮＤＬＥ＿ＳＩＺＥ、反復レベル、及びＵＥ１２０の種類の１つ以上に基づいて決定することができる。レベルは、専用のシグナリングによりＵＥ１２０に信号を送ることができる。レベルは、加えて又は代わりに、ＵＥ１２０により通知された情報に基づいて、決定することができる。
【００６９】
ｅＮＢ１６０は、ＰＤＳＣＨ伝送及び／又はＰＵＳＣＨ伝送に対するスクランブリング系列生成部用の初期化値を決定することができる（３０４）。図１で説明したように、初期化値ｃｉｎｉｔは、レベル（例えば、反復レベル、ＴＴＩ＿ＢＵＮＤＬＥ＿ＳＩＺＥ）、物理チャネル（例えば、ＰＤＳＣＨ、ＰＵＳＣＨ）伝送に関連するＲＮＴＩ、及び／又は物理層セル識別子に基づいて決定することができる。例えば、以下の初期化値を使用することができる。Ｌは、物理チャネル（例えば、ＰＤＳＣＨ、ＰＵＳＣＨ）伝送及び／又はＲＮＴＩに関連するレベル（例えば、反復レベル、ＴＴＩ＿ＢＵＮＤＬＥ＿ＳＩＺＥ）とすることができる。
【数３７】
0006615897.tif 000040
別の例として、ＲＮＴＩは、レベルに対して定義することができる。例えば、タイプ１のＵＥに対して、ＲＮＴＩ値を、表７．１−１に示すことができ、それらの使用法並びに関連するトランスポートチャネル及び論理チャネルを、表７．１−２に示す。
【００７０】
タイプ２及び／又はタイプ３のＵＥに対して、ＲＮＴＩ値は、レベルに基づいて決定することができる。例えば、レベル＃１に対する（例えば、タイプ１のＵＥに対する）Ｐ−ＲＮＴＩの値は、ＦＦＦＦであり、レベル＃２に対するＰ−ＲＮＴＩの値は、ＦＦＦＣである。別の例として、ＲＮＴＩは、以下の式のように定義することができる。
【数３８】
0006615897.tif 000041
レベル＃１に対する（例えば、タイプ１のＵＥに対する）ＲＡ−ＲＮＴＩの値は、０００１であり、レベル＃２に対するＲＡ−ＲＮＴＩの値は、０００２である。次に、初期化値ｃｉｎｉｔは、以下のように定義することができる。
【数３９】
0006615897.tif 000042
ｅＮＢ１６０は、スクランブリング系列を生成することができる（３０６）。ｅＮＢ１６０は、ＰＤＳＣＨを復号するために及び／又はＰＵＳＣＨを符号化するために、スクランブリング系列を適用することができる。それぞれのコードワードｑに対して、ビットのブロックは、
【数４０】
0006615897.tif 000043
ここで、
【数４１】
0006615897.tif 000044
は、１つのサブフレーム内の物理チャネル上で送信されたコードワードｑ内のビットの数とすることができ、変調の前にスクランブリングされることがあり、結果としてスクランブリングされたビットのブロックとなる。
【数４２】
0006615897.tif 000045
上記の式は、以下に従う。
【数４３】
0006615897.tif 000046
ここで、スクランブリング系列
【数４４】
0006615897.tif 000047
は、以下の疑似ランダム系列により与えられる。スクランブリング系列生成部は、それぞれのサブフレームの開始時に初期化することができる。疑似ランダム系列は、長さ３１のゴールド系列により定義することができる。長さＭＰＮの出力系列ｃ（ｎ）は、ここで、
【数４５】
0006615897.tif 000048
として、以下の式により定義される。
【数４６】
0006615897.tif 000049
ここで、ＮＣ＝１６００であって、第１のｍ系列は、以下の式で初期化することができる。
【数４７】
0006615897.tif 000050
第２のｍ系列の初期化は、以下の式で表され、
【数４８】
0006615897.tif 000051
値は、系列の適用に依存する。
【００７１】
報知されるシステムインフォメーションは、ＲＲＣ層で定期的に送信することができる。ＲＲＣ層でのシステムインフォメーションのそれぞれの送信（例えば、論理チャネル）に対して、ＭＡＣ層でＨＡＲＱ動作を実行することができる。ＨＡＲＱ動作は、ＴＴＩバンドリングを含むことができる。ＰＤＳＣＨ、ＰＵＳＣＨ、ＰＤＣＣＨ、ＥＰＤＣＣＨ、ＰＵＣＣＨ及び／又はＰＲＡＣＨに対する反復制御は、ＰＨＹ層で実行することができる。データ及び／又はＲＲＣ制御情報は、論理チャネルにマッピングされる。ＭＡＣエンティティは、上りリンクのための論理チャネルを上りリンクのトランスポートチャネルにマッピングすることを担当することができる。ＭＡＣエンティティは、下りリンクの論理チャネルを下りリンクのトランスポートチャネルにマッピングすることを担当することができる。
【００７２】
タイプ２及び／又はタイプ３のＵＥに対して、新しい物理チャネルを導入することができる。例えば、上記のＰＤＳＣＨ、ＰＵＳＣＨ、ＰＤＣＣＨ、ＥＰＤＣＣＨ、ＰＵＣＣＨ及びＰＲＡＣＨは、それぞれ、ＭＴＣ−ＰＤＳＣＨ、ＭＴＣ−ＰＵＳＣＨ、ＭＴＣ−ＰＤＣＣＨ、ＭＴＣ−ＥＰＤＣＣＨ、ＭＴＣＰＵＣＣＨ及びＭＴＣ−ＰＲＡＣＨと呼ぶことができる。別の例として、上記のＰＤＳＣＨ、ＰＵＳＣＨ、ＰＤＣＣＨ、ＥＰＤＣＣＨ、ＰＵＣＣＨ及びＰＲＡＣＨは、それぞれ、タイプ２のＵＥに対するＰＤＳＣＨ、タイプ２のＵＥに対するＰＵＳＣＨ、タイプ２のＵＥに対するＰＤＣＣＨ、タイプ２のＵＥに対するＥＰＤＣＣＨ、タイプ２のＵＥに対するＰＵＣＣＨ及びタイプ２のＵＥに対するＰＲＡＣＨと呼ぶことができる。更に別の例として、上記のＰＤＳＣＨ、ＰＵＳＣＨ、ＰＤＣＣＨ、ＥＰＤＣＣＨ、ＰＵＣＣＨ及びＰＲＡＣＨは、それぞれ、ＴＴＩバンドルサイズＸを有するＰＤＳＣＨ、ＴＴＩバンドルサイズＸを有するＰＵＳＣＨ、反復レベルＸを有するＰＤＣＣＨ、反復レベルＸを有するＥＰＤＣＣＨ、反復レベルＸを有するＰＵＣＣＨ及び反復レベルＸを有するＰＲＡＣＨと呼ぶことができ、ここでＸは、整数である。
【００７３】
図４は、ＵＥ４０２内に用いることができる各種構成要素を示す。図４に関連して説明するＵＥ４０２は、図１に関連して説明するＵＥ１０２に従って実装することができる。ＵＥ４０２は、ＵＥ４０２の動作を制御するプロセッサ１３８１を含む。プロセッサ１３８１はまた、中央処理装置（central processing unit）（ＣＰＵ）と呼ばれる場合もある。読出し専用メモリ（read-only memory）（ＲＯＭ）、ランダムアクセスメモリ（random access memory）（ＲＡＭ）、これら２つの組み合わせ、又は情報を記憶することができる任意の種類のデバイスを含んでもよいメモリ１３８７は、プロセッサ１３８１に命令１２８３ａ及びデータ４８５ａを提供する。メモリ１３８７の一部分はまた、不揮発性ランダムアクセスメモリ（non-volatile random access memory）（ＮＶＲＡＭ）を含むこともできる。命令４８３ｂ及びデータ４８５ｂはまた、プロセッサ１３８１内に常駐することもできる。プロセッサ１３８１にロードされた命令４８３ｂ及び／又はデータ４８５ｂはまた、プロセッサ１３８１による実行又は処理のためにロードされたメモリ１３８７からの命令１２８３ａ及び／又はデータ４８５ａを含むこともできる。命令４８３ｂは、上述した方法２００及び４００の１つ以上を実行するために、プロセッサ１３８１により実行することができる。
【００７４】
ＵＥ４０２はまた、データの送受信を可能にするための１つ以上の送信部４５８及び１つ以上の受信部４２０を収容する筐体を含むこともできる。送信部（単数又は複数）４５８及び受信部（単数又は複数）４２０は、１つ以上の送受信部４１８に組み合わせることができる。１つ以上のアンテナ４２２ａ〜ｎが、筐体に取り付けられ、送受信部４１８に電気的に結合される。
【００７５】
ＵＥ４０２の各種構成要素は、バスシステム１３８９により一体に結合され、バスシステムは、データバスに加えて、電源バス、制御信号バス及び状態信号バスを含むことができる。しかし、明瞭さのために、各種バスは、バスシステム１３８９として図４に示されている。ＵＥ４０２はまた、信号を処理するのに使用するためのデジタル信号プロセッサ（digital signal processor）（ＤＳＰ）１３９１を含むこともできる。ＵＥ４０２はまた、ＵＥ４０２の機能へのユーザアクセスを提供する通信インターフェイス１３９３を含むこともできる。図４に示されるＵＥ４０２は、具体的な構成要素の一覧ではなく、機能ブロック図である。
【００７６】
図５は、ｅＮＢ５６０内に用いることができる各種構成要素を示す。図５に関連して説明するｅＮＢ５６０は、図１に関連して説明するｅＮＢ１６０に従って実装することができる。ｅＮＢ５６０は、ｅＮＢ５６０の動作を制御するプロセッサ１４８１を含む。プロセッサ１４８１はまた、中央処理装置（ＣＰＵ）と呼ばれる場合もある。読出し専用メモリ（ＲＯＭ）、ランダムアクセスメモリ（ＲＡＭ）、これら２つの組み合わせ、又は情報を記憶することができる任意の種類のデバイスを含んでもよいメモリ１４８７は、プロセッサ１４８１に命令５８３ａ及びデータ５８５ａを提供する。メモリ１４８７の一部分はまた、不揮発性ランダムアクセスメモリ（ＮＶＲＡＭ）を含むこともできる。命令５８３ｂ及びデータ５８５ｂはまた、プロセッサ１４８１内に常駐することもできる。プロセッサ１４８１にロードされた命令５８３ｂ及び／又はデータ５８５ｂはまた、プロセッサ１４８１による実行又は処理のためにロードされたメモリ１４８７からの命令５８３ａ及び／又はデータ５８５ａを含むこともできる。命令５８３ｂは、上述した方法３００及び５００の１つ以上を実行するために、プロセッサ１４８１により実行することができる。
【００７７】
ｅＮＢ５６０はまた、データの送受信を可能にするための、１つ以上の送信部５１７及び１つ以上の受信部５７８を収容する筐体を含むこともできる。送信部（単数又は複数）５１７及び受信部（単数又は複数）５７８は、１つ以上の送受信部５７６に組み合わせることができる。１つ以上のアンテナ５８０ａ〜５８０ｎは、筐体に取り付けられ、送受信部５７６に電気的に結合される。
【００７８】
ｅＮＢ５６０の各種構成要素は、バスシステム１４８９により一体に結合され、バスシステムは、データバスに加えて、電源バス、制御信号バス及び状態信号バスを含むことができる。しかし、明瞭さのために、各種バスは、バスシステム１４８９として図５に示されている。ｅＮＢ５６０はまた、信号を処理するのに使用するためのデジタル信号プロセッサ（ＤＳＰ）１４９１を含むこともできる。ｅＮＢ５６０はまた、ｅＮＢ５６０の機能へのユーザアクセスを提供する通信インターフェイス１４９３を含むこともできる。図５に示されるｅＮＢ５６０は、具体的な構成要素の一覧ではなく、機能ブロック図である。
【００７９】
用語「コンピュータ可読媒体」は、コンピュータ又はプロセッサによりアクセスすることができる任意の利用可能な媒体を指す。本明細書で使用される場合、用語「コンピュータ可読媒体」は、非一時的で有形な、コンピュータ及び／又はプロセッサにより読取可能な媒体を表すことができる。例として、かつ限定するものとしてではなく、コンピュータ可読又はプロセッサ可読媒体は、ＲＡＭ、ＲＯＭ、ＥＥＰＲＯＭ（登録商標）、ＣＤ−ＲＯＭ若しくは他の光学ディスク記憶装置、磁気ディスク記憶装置若しくは他の磁気記憶装置、又は命令若しくはデータ構造の形態で所望のプログラムコードを搬送若しくは記憶するために使用することができ、コンピュータ若しくはプロセッサによりアクセスすることができる任意の他の媒体を含むことができる。本明細書で使用される場合、ディスク（Disk）及びディスク（disc）は、コンパクトディスク（compact disc）（ＣＤ）、レーザーディスク（登録商標）、光学ディスク、デジタル多用途ディスク（digital versatile disc）（ＤＶＤ）、フロッピィディスク、及びブルーレイ（登録商標）ディスクを含み、ディスク（disk）は、通常、データを磁気的に再生し、ディスク（disc）は、レーザーを用いて光学的にデータを再生する。
【００８０】
本明細書で説明する方法の１つ以上は、ハードウェアの形式で実行することができる、及び／又はハードウェアを使用して実行することができることを留意すべきである。例えば、本明細書で説明する方法の１つ以上は、チップセット、特定用途向け集積回路（application-specific integrated circuit）（ＡＳＩＣ）、大規模集積回路（large-scale integrated circuit）（ＬＳＩ）、若しくは集積回路などの中で実行することができる、及び／又はこれらを使用して実現することができる。
【００８１】
本明細書で開示する方法のそれぞれは、所望の方法を実行するための１つ以上のステップ又はアクションを含む。方法のステップ及び／又はアクションは、特許請求の範囲から逸脱することなく、互いに交換することができ、及び／又は単一のステップに組み合わせることができる。換言すれば、説明されている方法の適切な動作のためにステップ又はアクションの特定の順序が必要とされない限り、特定のステップ及び／若しくはアクションの順序並びに／又は使用は、特許請求の範囲から逸脱することなく、変更することができる。
【００８２】
特許請求の範囲は、上記に例示された厳密な構成及び構成要素に限定されないことを理解されたい。特許請求の範囲から逸脱することなく、本明細書で説明したシステム、方法、及び装置の配置、動作、並びに詳細について、様々な修正、変更、及び変形を行うことができる。
【図１】
0006615897.tif 000052
【図２】
0006615897.tif 000053
【図３】
0006615897.tif 000054
【図４】
0006615897.tif 000055
【図５】
0006615897.tif 000056